(57)【要約】【課題】掃除機全体を大型化することなく、耐衝撃性を向上させることができるサイクロン式電気掃除機を提供すること。【解決手段】電動送風機５を有する掃除機本体２と、この掃除機本体２に着脱自在に取り付けられるサイクロン式集塵部３とを有するサイクロン式電気掃除機１において、前記サイクロン式集塵部３にバンパー２２を設けたことにより、サイクロン式集塵部３を剥き出しの状態で前記掃除機本体２に取り付けることで、掃除機本体２、ひいてはサイクロン式電気掃除機１全体を小型化することができると共に、使用時における前記サイクロン式集塵部３への衝撃を、前記バンパー２２によって吸収し、サイクロン式集塵部３の破損を防止することができる。【選択図】図２
2011147698.tif 000002
【特許請求の範囲】
【請求項１】
電動送風機を有する掃除機本体と、この掃除機本体に着脱自在に取り付けられるサイクロン式集塵部とを有するサイクロン式電気掃除機において、
前記サイクロン式集塵部にバンパーを設けたことを特徴とするサイクロン式電気掃除機。
【請求項２】
前記バンパーが、前記サイクロン式集塵部のサイクロン筒との間に間隙を有することを特徴とする請求項１記載のサイクロン式電気掃除機。
【請求項３】
前記サイクロン式集塵部のほぼ中央に、気流をサイクロン筒に導く導入部を設け、この導入部に前記バンパーの中央を支持させると共に、前記バンパーの左右両端を自由端としたことを特徴とする請求項２記載のサイクロン式電気掃除機。
【発明の詳細な説明】
【技術分野】
【０００１】
本発明は、集塵部が露出した横型のサイクロン式電気掃除機に関するものである。
【背景技術】
【０００２】
従来、この種のサイクロン式電気掃除機としては、掃除機本体にサイクロン式ダストボックス（本発明のサイクロン式集塵部に相当する）が上方から着脱可能に挿入配置されたものが知られている（例えば、特許文献１参照。）。このようなサイクロン式電気掃除機では、前記掃除機本体によって前記サイクロン式ダストボックスが囲まれるので、清掃中に前記掃除機本体を障害物に衝突させたとしても、前記サイクロン式ダストボックスが保護される。
【先行技術文献】
【特許文献】
【０００３】
【特許文献１】特開２００３−３１０５０７号公報
【発明の概要】
【発明が解決しようとする課題】
【０００４】
しかしながら、このようなサイクロン式電気掃除機は、前記集塵部の周囲を前記掃除機本体が囲む構造なので、掃除機全体が大型化してしまうという問題があった。掃除機全体を小型化するためには、前記集塵部を剥き出しの状態で前記掃除機本体に装着させる必要があるが、この場合、清掃中に集塵部が障害物に衝突し、集塵部を破損させてしまう虞がある。
【０００５】
本発明は以上の問題点を解決し、掃除機全体を大型化することなく、耐衝撃性を向上させることができるサイクロン式電気掃除機を提供することを目的とする。
【課題を解決するための手段】
【０００６】
本発明の請求項１に記載のサイクロン式電気掃除機は、電動送風機を有する掃除機本体と、この掃除機本体に着脱自在に取り付けられるサイクロン式集塵部とを有するサイクロン式電気掃除機において、前記サイクロン式集塵部にバンパーを設けたものである。
【０００７】
また、本発明の請求項２に記載のサイクロン式電気掃除機は、請求項１において、前記バンパーが、前記サイクロン式集塵部のサイクロン筒との間に間隙を有するものである。
【０００８】
更に、本発明の請求項３に記載のサイクロン式電気掃除機は、請求項２において、前記サイクロン式集塵部のほぼ中央に、気流をサイクロン筒に導く導入部を設け、この導入部に前記バンパーの中央を支持させると共に、前記バンパーの左右両端を自由端としたものである。
【発明の効果】
【０００９】
本発明の請求項１に記載のサイクロン式電気掃除機は、以上のように構成することにより、サイクロン式集塵部を剥き出しの状態で前記掃除機本体に取り付けることで、掃除機本体、ひいてはサイクロン式電気掃除機全体を小型化することができると共に、使用時における前記サイクロン式集塵部への衝撃を、前記バンパーによって吸収し、サイクロン式集塵部の破損を防止することができる。
【００１０】
また、前記バンパーと前記サイクロン式集塵部のサイクロン筒との間に間隙を設けることにより、前記バンパーが衝撃を受けたとしても、この衝撃を前記サイクロン式集塵部に伝えないようにすることができる。
【００１１】
更に、前記サイクロン式集塵部のほぼ中央に、気流をサイクロン筒に導く導入部を設け、この導入部に前記バンパーの中央を支持させると共に、前記バンパーの左右両端を自由端としたことにより、前記バンパーの構造を単純にすることができると共に、前記バンパーが障害物に衝突した際に、前記バンパーが撓んで復元する際に、前記サイクロン式電気掃除機が障害物を避けるように動くことで、スムーズに清掃を続けることができる。
【図面の簡単な説明】
【００１２】
【図１】本発明の一実施形態を示すサイクロン式電気掃除機の正面図である。
【図２】同、平面図である。
【発明を実施するための形態】
【００１３】
以下、本発明の実施形態について、図１及び図２に基づいて説明する。１は本発明のサイクロン式電気掃除機である。このサイクロン式電気掃除機１は、掃除機本体２と、サイクロン式集塵部３と、吸引ホース部材（図示せず）とを有して構成される。
【００１４】
前記掃除機本体２は、その内部に電動送風機５を有する。また、前記掃除機本体２は、被清掃面上を自由に移動できるように、車輪６を有する。また、前記掃除機本体２は、その上面に、前記電動送風機５を作動させるためのスイッチ操作部７を有する。また、前記掃除機本体２は、その上面に、先端にプラグ８が設けられた図示しない電源コードを巻き取るためのコード巻き取り操作部９を有する。また、前記掃除機本体２は、その上面に、この掃除機本体を把持して持ち運ぶための把持部１０を有する。また、前記掃除機本体２は、その上面に、前記サイクロン式集塵部３を着脱自在に固定するためのフック１１を有する。更に、前記掃除機本体２は、その後部に排気口部１２を有する。
【００１５】
前記サイクロン式集塵部３は、その軸方向がほぼ水平な状態で、前記掃除機本体２に対して着脱自在に取り付けられる。そして、前記サイクロン式集塵部３は、サイクロン筒１３と、このサイクロン筒１３と一体に設けられた導入部１４と、この導入部１４に固定された取付部１５とを有する。そして、この取付部１５には、前記吸引ホース部材の図示しない挿入筒部が挿入されて取り付けられる。なお、前記導入部１４及び取付部１５は、前記サイクロン式集塵部３の左右方向に対しほぼ中央に設けられる。
【００１６】
そして、前記取付部１５の下方で且つ前記サイクロン筒１３の前方には、支持部２１を介してバンパー２２がほぼ左右対称に設けられる。即ち、前記バンパー２２は、前記取付部１５及び支持部２１によって、前記導入部１４に支持される。前記支持部２１は、前記取付部１５から下方に延びて形成されると共に、前記バンパー２２は、前記支持部２１の下端から左右方向に略水平に伸びて形成される。また、前記バンパー２２は、その両端２２Ａが、それぞれ斜め後方に伸びて形成される。なお、前記支持部２１及びバンパー２２は、それぞれ前記サイクロン筒１３の前方に間隔を置いて設けられる。即ち、前記バンパー２２の両端２２Ａは、それぞれ自由端となる。また、前記支持部２１とバンパー２２と前記取付部１５は、合成樹脂によって一体に成形される。従って、前記バンパー２２を構成するための部品が一つになるので、部品点数を増やすことなく安価に構成することができる。
【００１７】
次に、本実施形態の作用について説明する。まず使用者は、図示しないコードリールから前記コードを引き出し、前記プラグ８を図示しない交流電源に接続する。また、前記サイクロン式集塵部３を前記掃除機本体２に取り付けると共に、前記ホース部材の挿入筒部を、前記サイクロン式集塵部３の取付部１５に挿入し、取り付ける。そして、前記スイッチ操作部７を操作することで、前記電動送風機５を作動させる。このように、前記電動送風機５が作動すると、含塵気流が、前記ホース部材を通って前記サイクロン式集塵部３に流入する。そして、このサイクロン式集塵部３で、気流から塵埃が分離される。また、塵埃が分離された気流は、前記サイクロン式集塵部３から前記電動送風機５に至り、更に、前記排気口部１２から大気中に放出される。
【００１８】
そして、このように図示しない前記吸引ホース部材から含塵気流を吸引しながら、前記サイクロン式電気掃除機１が被清掃面上を移動すると、前記サイクロン式電気掃除機１の前方にある前記サイクロン式集塵部３が障害物に衝突する可能性がある。しかしながら、前述したように、前記サイクロン式集塵部３に前記バンパー２２を設けたことで、このバンパー２２が障害物に衝突して衝撃を吸収するので、前記サイクロン式集塵部３が剥き出しとなる、前記掃除機本体２を小型化した構造であっても、前記サイクロン式集塵部３を衝撃から保護することができる。また、前述したように、前記バンパー２２が前記サイクロン筒１３の前方に間隔を置いて設けられることで、前記バンパー２２が受けた衝撃が前記サイクロン筒１３に確実に伝わらないようにして、より確実に前記サイクロン筒１３を保護することができる。更に、前記バンパー２２が、その中央で前記支持部２１によって支持されると共に、その両端２２Ａが自由端となることで、前記バンパー２２が衝撃を受けた際、前記支持部２１が弾性変形して捻れると共に、衝撃を受けた側のバンパー２２自体が弾性変形することで、衝撃を受けた側のバンパー２２が後方に撓む。この際、前記バンパー２２の両端２２Ａが斜め後方に伸びて形成されることと相まって、撓んだ前記バンパー２２が復元する際に、前記サイクロン式電気掃除機１が、その前部が障害物から離れるように向きを変えることができる。従って、前記サイクロン式電気掃除機１が清掃中に障害物に衝突したとしても、前記サイクロン式集塵部３を保護しつつ、被清掃面上をスムーズに移動させることができる。
【００１９】
以上のように、本発明は、電動送風機５を有する掃除機本体２と、この掃除機本体２に着脱自在に取り付けられるサイクロン式集塵部３とを有するサイクロン式電気掃除機１において、前記サイクロン式集塵部３にバンパー２２を設けたことにより、サイクロン式集塵部３を剥き出しの状態で前記掃除機本体２に取り付けて、掃除機本体２、ひいてはサイクロン式電気掃除機１全体を小型化することができると共に、使用時における前記サイクロン式集塵部３への衝撃を、前記バンパー２２によって吸収し、サイクロン式集塵部３の破損を防止することができるものである。
【００２０】
また、前記バンパー２２と前記サイクロン式集塵部３のサイクロン筒１３との間に間隙を設けることにより、前記バンパー２２が衝撃を受けたとしても、この衝撃を前記サイクロン式集塵部３により確実に伝えないようにすることができるものである。
【００２１】
更に、前記サイクロン式集塵部３のほぼ中央に、気流をサイクロン筒１３に導く導入部１４を設け、この導入部１４に固定される取付部１５と一体に設けられた支持部２１によって前記バンパー２２の中央を支持させると共に、前記バンパー２２の左右両端２２Ａを自由端としたことにより、前記バンパー２２の構造を単純にすることができると共に、前記バンパー２２が障害物に衝突した際に、前記バンパー２２が撓んで復元する際に、前記サイクロン式電気掃除機１の前部が、障害物から離れるように向きを変えることで、スムーズに清掃を続けることができるものである。
【００２２】
なお、本発明は以上の実施形態に限定されるものではなく、発明の要旨の範囲内で種々の変形実施が可能である。例えば、上記実施形態では、サイクロン式集塵部の軸方向を水平としたが、軸方向が垂直となるサイクロン式集塵部に、本発明のようなバンパーを設けても良い。
【符号の説明】
【００２３】
１  サイクロン式電気掃除機
２  掃除機本体
３  サイクロン式集塵部
５  電動送風機
１３  サイクロン筒
１４  導入部
２２  バンパー
２２Ａ  両端
【図１】
2011147698.tif 000003
【図２】
2011147698.tif 000004